(57)【要約】【課題】  伸縮部材の一端を本体に固定して伸縮部材の支持強度を確保し、かつ、弁部材の通路の開口に対する軸ずれを吸収できるようにする。【解決手段】  流体の入口２及び出口３を有した本体１を備え、入口１側に連通し流体が流れる部屋１１を設けるとともに部屋１１と出口３側に連通する通路１２を設け、部屋１１内に通路１２の部屋１１側開口１２ａを開閉する弁機構２０を設け、弁機構２０を、通路１２の開口１２ａ端縁に当接可能に形成され当接時に通路１２を閉塞する弁部材２１と、一端が本体１の内壁に固定され他端に弁部材２１が設けられるとともに所定温度よりも高いと伸長し所定温度よりも低いと収縮する伸縮部材２２とを備え、弁部材２１を伸縮部材２２の伸縮方向と直交する平面沿って伸縮部材２２に移動可能に支持する支持機構４０と、弁部材２１の移動範囲を規制する規制機構５０とを備えて構成した。【選択図】  図１
2007333171.tif 000002
【特許請求の範囲】
【請求項１】
流体の入口及び出口を有した本体を備え、該本体内に入口側に連通し流体が流れる部屋を設けるとともに該部屋と出口側に連通する通路を設け、上記部屋内に上記通路の該部屋側開口を開閉する弁機構を設け、該弁機構を、上記通路の開口端縁に当接可能に形成され当接時に該通路を閉塞する弁部材と、一端が上記本体の内壁に支持され他端に上記弁部材が設けられるとともに所定温度よりも高いと他端側に伸長し所定温度よりも低いと一端側に収縮する伸縮部材とを備えて構成してなるトラップ装置において、
上記伸縮部材の一端を上記本体に対して固定し、
上記弁部材を上記伸縮部材の伸縮方向と直交する平面に沿って該伸縮部材に移動可能に支持する支持機構と、上記弁部材の移動範囲を規制する規制機構とを備えたことを特徴とするトラップ装置。
【請求項２】
上記支持機構を、上記伸縮部材の他端側に形成され該伸縮部材の伸縮方向に直交するスライド面を有したベースと、上記弁部材に設けられ上記ベースのスライド面に対して移動可能なスライダと、上記ベースに対して上記スライダをスライド可能に保持する保持部とを備えて構成したことを特徴とする請求項１記載のトラップ装置。
【請求項３】
上記スライダを上記弁体の外周に突出するフランジを備えた構成とし、
上記保持部を上記スライダを囲繞するように上記ベースに突設された筒状体と、上記筒状体の内周に設けた溝に嵌入され上記スライダのフランジを押さえるＣリングとを備えて構成したことを特徴とする請求項２記載のトラップ装置。
【請求項４】
上記規制機構を、上記ベースまたは上記スライダのいずれか一方に突設される凸部と、上記ベースまたは上記スライダのいずれか他方に凹設され上記凸部が遊挿される凹部とを備え、上記弁部材の移動範囲を上記凸部と凹部とのクリアランスの範囲に設定したことを特徴とする請求項２，３または４記載のトラップ装置。
【請求項５】
上記伸縮部材の一端に雄ネジを設け、上記本体の内壁に雌ネジを設け、該雌ネジに上記雄ネジを螺着して上記伸縮部材を上記本体に固定したことを特徴とする請求項１，２，３または４記載のトラップ装置。
【発明の詳細な説明】
【技術分野】
【０００１】
本発明は、例えば、蒸気等が流通する管内に溜まった水を自動的に排出するトラップ装置に関する。
【背景技術】
【０００２】
従来、この種のトラップ装置としては、例えば、特許文献１（特開平１０−３８１９５号公報）に記載されたものが知られている。
【０００３】
図７及び図８に示すように、このトラップ装置は、流体の入口２及び出口３を有した本体１を備えている。本体１には、その内部に入口２側に連通し流体が流れる部屋１１が設けられるとともに部屋１１と出口３側に連通する通路１２が設けられている。また、本体１に設けた部屋１１内には、通路１２の部屋１１側開口１２ａを開閉する弁機構２０が設けられている。
詳しくは、本体１は、内部に弁室４ａが形成されるとともに開口を有した弁箱４と、弁箱４の開口を閉塞するための蓋体５と、弁箱４の弁室４ａに挿入され部屋１１及び通路１２を形成する中子部材１０とからなる。中子部材１０は、蓋体５に取り付けられて部屋１１を形成する中子蓋体１３と、通路１２を形成する中子本体１４とからなる。中子蓋体１３は、保持穴１８と１対の溝孔１９とを有している。
【０００４】
弁機構２０は、通路１２の開口１２ａ端縁に当接可能に形成され当接時に通路１２を閉塞する弁部材２１と、一端が本体１の内壁に支持され他端に弁部材２１が設けられるとともに所定温度よりも高いと他端側に伸長し所定温度よりも低いと一端側に収縮する伸縮部材２２とを備えて構成されている。弁部材２１は、半球状に形成されている。伸縮部材２２は、ベローズで構成され、中子蓋体１３を介して本体１に支持されており、その一端に中子蓋体１３の裏面に形成された保持穴１８に挿入される支持部２８が突設されている。支持部２８は、細くくびれたネック部２８ａを有し、保持穴１８に挿入される。この支持部２８は、中子蓋体１３の溝孔１９に挿入される支持板２９で支持される。
【０００５】
支持板２９は、挿入孔２９ａとこの挿入孔２９ａに通じる支持孔２９ｂとを有している。挿入孔２９ａは支持板２９の中心から支持板２９の長さ方向に沿ってずれた位置に形成され、支持孔２９ｂは支持板２９の中心の周囲に形成されている。挿入孔２９ａは、内径が支持部２８の直径より大きく形成されており、支持部２８が挿入可能になっている。また、支持孔２９ｂは、その幅がネック部２８ａの直径より大きく支持部２８の直径より小さく形成されている。この支持板２９による弁機構２０の取り付けは、支持板２９を溝孔１９に挿入して、保持穴１８と挿入孔２９ａを一致させたときに挿入孔２９ａに支持部２８を挿入して保持穴１８に支持部２８を挿入する。次に、そのまま支持板２９を更に溝孔１９に挿入し、支持孔２９ｂと保持穴１８とを一致させる。
【０００６】
このトラップ装置によれば、入口２から入った蒸気や水等の流体は部屋１１に入る。部屋１１内に、低温の水等が流れ込んで部屋１１の内部温度が所定温度より低くなると、伸縮部材２２が収縮して弁部材２１が通路１２の開口１２ａ端縁から離れ入口２側の流体が出口３から排出される。また、部屋１１内が高温の蒸気等で満たされて、流体の温度が所定温度より高くなると、伸縮部材２２が伸長して弁部材２１が通路１２の開口１２ａ端縁に当接し、通路１２を閉にする。
この際、伸縮部材２２の伸長方向にばらつきがあって、弁機構２０の弁部材２１と通路１２の開口１２ａの軸ずれが生じても、弁機構２０は支持部２８が支持板２９に沿って保持穴１８の内部で移動可能なためスライドする。また、必要に応じて支持板２９も溝孔１９内でスライドする。これにより、弁部材２１と通路１２の開口１２ａとに軸ずれが生じても、この軸ずれを吸収して通路１２を閉塞する。
【０００７】
【特許文献１】特開平１０−３８１９５号公報
【発明の開示】
【発明が解決しようとする課題】
【０００８】
ところで、このようなトラップ装置においては、支持部２８が本体に支持された状態で、しかも、支持部２８がスライド移動して軸ずれを吸収するが、支持部２８が、本体１への支持する機能と弁機構２０の弁部材２１のスライド移動させる機能を兼ねるので、支持部２８に係る負荷が大きくなり、そのため、この負荷により支持部２８が破損する虞があった。支持部２８が破損すると、弁機構２０が本体１から脱落し、通路１２が閉じたままになりトラップ装置として機能しなくなる。
【０００９】
本発明は上記の問題点に鑑みて為されたもので、伸縮部材の一端を本体に固定して伸縮部材の支持強度を確保し、かつ、弁部材の通路の開口に対する軸ずれを吸収できるようにしたトラップ装置を提供することを目的とする。
【課題を解決するための手段】
【００１０】
このような目的を達成するための本発明のトラップ装置は、流体の入口及び出口を有した本体を備え、該本体内に入口側に連通し流体が流れる部屋を設けるとともに該部屋と出口側に連通する通路を設け、上記部屋内に上記通路の該部屋側開口を開閉する弁機構を設け、該弁機構を、上記通路の開口端縁に当接可能に形成され当接時に該通路を閉塞する弁部材と、一端が上記本体の内壁に支持され他端に上記弁部材が設けられるとともに所定温度よりも高いと他端側に伸長し所定温度よりも低いと一端側に収縮する伸縮部材とを備えて構成してなるトラップ装置において、上記伸縮部材の一端を上記本体に対して固定し、
上記弁部材を上記伸縮部材の伸縮方向と直交する平面に沿って該伸縮部材に移動可能に支持する支持機構と、上記弁部材の移動範囲を規制する規制機構とを備えて構成している。
【００１１】
このトラップ装置は、予め、例えば、ボイラ等の装置の蒸気管に接続しておく。そして入口から流体が部屋内に流入すると、この流体の温度が低い場合には、伸縮部材が収縮して弁部材が通路の入口側開口から離間し、入口側に接続された管の温度の低い流体が出口から排出されていく。また、流体の温度が高い場合には、伸縮部材が伸長して弁部材が入口側開口に近接していき、弁部材が開口端縁に当接して通路を閉塞する。
これにより、入口側に接続された管内において、流体が低温であるときには、この流体を外部に排出し、流体が高温であるときには管内に流体を留めておくことができる。これにより、ボイラ等の装置を効率よく作動させることができる。
【００１２】
また、伸縮部材の伸長する際に、伸縮部材の伸長方向のばらつきが生じ、弁機構の弁部材と通路の開口の軸ずれが生じることがある。この場合、弁部材が支持機構により伸縮部材の伸縮方向と直交する平面に沿って移動可能に伸縮部材に支持されるので、弁部材の軸と通路の開口の軸とが合う方向に弁部材が移動する。これにより、軸ずれが生じてもこれを吸収して通路を閉塞することができる。また、伸縮部材を本体に対して固定して弁機構を本体に支持し、かつ、支持機構を設けて、この支持機構で弁部材を移動可能にしたので、弁機構の支持強度を確保しかつ、弁部材の軸と通路の部屋側開口軸との軸ずれに対応できる。即ち、伸縮部材の本体に対する支持部分に負荷がかかりにくくなり、弁機構の本体に対する支持部分を破損しにくくすることができる。また、規制機構を設けたので、過度の弁部材の移動が防止される。
【００１３】
また、必要に応じ、上記支持機構を、上記伸縮部材の他端側に形成され該伸縮部材の伸縮方向に直交するスライド面を有したベースと、上記弁部材に設けられ上記ベースのスライド面に対して移動可能なスライダと、上記ベースに対して上記スライダをスライド可能に保持する保持部とを備えて構成している。
これにより、スライダがベースのスライド面に対して移動するので、弁部材を安定して移動させることができる。
【００１４】
更に、必要に応じ、上記スライダを上記弁体の外周に突出するフランジを備えた構成とし、上記保持部を上記スライダを囲繞するように上記ベースに突設された筒状体と、上記筒状体の内周に設けた溝に嵌入され上記スライダのフランジを押さえるＣリングとを備えて構成している。
これにより、保持部でスライダを保持する際には、フランジを筒状体内に入れ、溝にＣリングを嵌入する。そのため、スライダがＣリングで押さえられて保持されるので、簡単な構造でスライダをベースに対してスライド可能にできる。
【００１５】
更にまた、必要に応じ、上記規制機構を、上記ベースまたは上記スライダのいずれか一方に突設される凸部と、上記ベースまたは上記スライダのいずれか他方に凹設され上記凸部が遊挿される凹部とを備え、上記弁部材の移動範囲を上記凸部と凹部とのクリアランスの範囲に設定している。
これにより、弁部材が移動範囲を超えて移動しようとすると、凸部の外周が凹部の内周に当接して、弁部材の移動を規制する。そのため、簡単な構造で、弁部材の移動の規制を確実に行なうことができる。
【００１６】
また、必要に応じ、上記伸縮部材の一端に雄ネジを設け、上記本体の内壁に雌ネジを設け、該雌ネジに上記雄ネジを螺着して上記伸縮部材を上記本体に固定している。
これにより、伸縮部材の本体に対する固定を確実に行なうことができる。また、伸縮部材の交換等も容易に行なうことができる。
【発明の効果】
【００１７】
本発明のトラップ装置によれば、伸縮部材の一端を上記本体に対して固定し、弁部材を伸縮部材の伸縮方向と直交する平面に沿って伸縮部材に移動可能に支持する支持機構を備えたので、伸縮部材の伸長する際に、伸縮部材の伸長方向のばらつきが生じ、弁機構の弁部材と通路の開口の軸ずれが生じても、弁部材の軸と通路の開口の軸とが合う方向に弁部材が移動して軸ずれを吸収し、通路を閉塞することができる。また、伸縮部材を本体に対して固定したので、支持強度を確保でき、弁機構の本体に対する支持部分に負荷がかかりにくくなり、弁機構の支持部分を破損しにくくすることができる。また、規制機構を設けたので、過度の弁部材の移動が防止される。
【発明を実施するための最良の形態】
【００１８】
以下、添付図面に基づいて、本発明の実施の形態に係るトラップ装置について詳細に説明する。尚、従来のトラップ装置と同様のものには同様の符号を付している。
【００１９】
図１及び図６には、トラップ装置を示している。トラップ装置は、流体の入口２及び出口３を有した本体１を備えている。本体１には、その内部に入口２側に連通し流体が流れる部屋１１が設けられるとともに部屋１１と出口３側に連通する通路１２が設けられている。また、本体１に設けた部屋１１内には、通路１２の部屋１１側開口１２ａを開閉する弁機構２０が設けられている。
詳しくは、本体１は、内部に弁室４ａが形成されるとともに開口５ｂを有した中空状の弁箱４と、弁箱４の開口５ｂを閉塞するための蓋体５と、弁箱４の弁室４ａに挿入され部屋１１及び通路１２を形成する中子部材１０とからなる。
【００２０】
弁箱４の入口２及び出口３には、ボルト及びナットを介して他の管体へ接続するためのフランジ６が形成されている。蓋体５は、弁箱４の開口５ｂ端縁に係合するとともに図示しないボルト等により弁箱４に着脱可能に結合される。中子部材１０は、底壁１４ａ及び側壁１４ｂを有したカップ状の中子本体１４と、側壁１４ｂにより形成された開口端縁に係合する中子蓋体１３とを備えてなる。中子本体１４には、底壁１４ａ側の側壁１４ｂに入口２と部屋１１とを連通する連通路１５が形成されている。また、中子本体１４の底壁１４ａ内面には、通路１２の部屋１１側開口１２ａが形成されている。通路１２の部屋１１側開口１２ａには、入口２の開口１２ａ端縁を構成し後述の弁機構２０の弁部材２１が当接するブッシュ１６が設けられている。通路１２は、底壁１４ｂの内部を通って中子本体１４の外面に形成された出口３側開口１２ｂに連通している。中子蓋体１３は、その外面に突設された軸部１７を介して蓋体５に取り付けられている。軸部１７は、蓋体５を貫通し、ピン１７ａにより抜け止めがなされる。図中、符号１７ｂは、軸部１７をシールするパッキンである。
【００２１】
図２乃至図５にも示すように、弁機構２０は、通路１２の開口１２ａ端縁に当接可能に形成され当接時に通路１２を閉塞する弁部材２１と、一端が本体１の内壁に支持され他端に弁部材２１が設けられるとともに所定温度よりも高いと他端側に伸長し所定温度よりも低いと一端側に収縮する伸縮部材２２とを備えて構成されている。
弁部材２１は、部屋１１側開口１２ａの径よりも径の大きい球体で構成されている。
伸縮部材２２は、内部にアルコール等の液体が封入されたベローズで構成され、その一端が本体１に対して固定されている。このベローズは、金属製のベローズ本体３０と、一端側に設けられ雄ネジ３３が突設された金属製の一端側金具３１と、他端側の金属製の他端側金具３２とを備えてなる。ベローズ本体３０と一端側金具３１及びベローズ本体３０と他端側金具３２は、ＴＩＧ溶接により接合されている。更に、一端側金具３１の雄ネジ３３の軸には、ベローズ本体３０の内部に連通するとともにベローズ本体３０内に液体を封入して真空引きするための孔３４が穿設されている。この孔３４は、液体の封入及び真空引き後に金属で閉塞される。
【００２２】
また、一端側金具３１には、ベローズ本体３０の内側に突出するスプリングピン３６を挿入するための穴３５が凹設されている。この穴３５は、孔３４と同軸に設けられている。穴３５に挿入されたスプリングピン３６は、先端が他端側金具３２に当接することにより伸縮部材２２の収縮限界を設定している。また、伸縮部材２２の本体１に対する固定は、本体１の内壁である中子蓋体１３の内側に雌ネジ７を設け、一端側金具３１の雄ネジ３３をこの雌ネジ７に螺着して行なわれる。
【００２３】
また、本トラップ装置は、弁部材２１を伸縮部材２２の伸縮方向と直交する平面に沿って伸縮部材２２に移動可能に支持する支持機構４０と、弁部材２１の移動範囲を規制する規制機構５０とを備えている。
支持機構４０は、伸縮部材２２の他端側に形成され伸縮部材２２の伸縮方向に直交するスライド面４４を有したベース４１と、弁部材２１に設けられベース４１のスライド面４４に対して移動可能なスライダ４２と、ベース４１に対してスライダ４２をスライド可能に保持する保持部４７とを備えてなる。
【００２４】
ベース４１は、ステンレス等の金属により円盤状に形成されている。実施の形態においては、ベース４１は、伸縮部材２２の他端側金具３２で構成されている。また、スライダ４２は、ステンレス等の金属で形成され、弁部材２１の外周に突出するフランジ４３を備えた構成としている。実施の形態においては、フランジ４３がスライド面４４に対してスライド移動するとともに、弁部材２１の開口１２ａ端縁当接時には、ベース部材４１のスライド面４４から押圧されて、弁部材２１を開口１２ａ端縁に押し付ける。
また、スライダ４２は、弁部材２１を保持する保持孔４５と、保持孔４５を囲繞するように突設される筒体４６が突設されている。この保持孔４５は、底部がロート状に形成されている。そして、弁部材２１の保持は、保持孔４５に入れられた弁部材２１を筒体４６の開放口端縁部をかしめることにより行なわれる。
【００２５】
保持部４７は、スライダ４２を囲繞するようにベース４１に突設された筒状体４８と、筒状体４８の内周に設けた溝４８ａに嵌入されスライダ４２のフランジ４３を押さえるＣリング４９とを備えて構成されている。
Ｃリング４９は、その外周の径が、筒状体４８の内径よりも大きく、Ｃリング４９の両端の近接時に筒状体４８の内径よりも径が小さくなる。また、Ｃリング４９の両端には、円形の孔４９ａが形成されておりラジオペンチ等で両端を近接できるようになっている。
この保持部４７でスライダを保持するには、筒状体４８にスライダ４２を挿入し、溝４８ａにＣリングを挿入する。これにより、保持部４７は、簡単な構造でスライダ４２をスライド可能に保持できる。また、Ｃリング４９の両端を近接すれば溝４８ａに嵌入したあとも取り外すこともでき、万が一弁部材２１やスライダ４２が破損した場合において、弁部材２１の交換を容易に行なうことができる。
【００２６】
また、規制機構５０は、スライダ４２に突設される凸部５１と、ベース４１に凹設され凸部５１が遊挿される凹部５２とを備え、弁部材２１の移動範囲を凸部５１と凹部５２とのクリアランスｔの範囲に設定している。凹部５２は、その底部がロート状に形成されている。
【００２７】
従って、このトラップ装置を用いるときは、例えば、ボイラに備えられた蒸気管に予め本トラップ装置の入口２側を接続しておく。
そして、ボイラが作動すると、トラップ装置の入口２から蒸気管側の蒸気及び水等の流体が流入してくる。この流体が低温であり、部屋１１内が所定温度よりも低くなった場合には、図１及び図３（ｂ）に示すように、伸縮部材２２が収縮して弁部材２１が通路１２の開口１２ａ端縁から離れ、入口２に接続された蒸気管の流体が部屋１１，通路１２を通って出口３から排出されていく。
次に、部屋１１内が高温の蒸気等で満たされて、流体の温度が所定温度より高くなった場合には、図３（ａ）及び図６に示すように、伸縮部材２２が伸長して弁部材２１が通路１２の開口１２ａ端縁に当接し、通路１２を閉にする。これにより、蒸気管内に溜まった水を外部に排出でき、また、蒸気管内が高温の蒸気で満たされている場合には、排出を停止できるようになり、ボイラを効率よく作動させることができる。
【００２８】
また、伸縮部材２２が伸長する際に、伸縮部材２２がベローズで構成されていることから、伸縮部材２２の伸長方向のばらつきが生じ、弁機構２０の弁部材２１と通路１２の開口の軸ずれが生じることがある。
この場合、弁部材２１が支持機構４０により伸縮部材２２の伸縮方向と直交する平面に沿って伸縮部材２２に移動可能に支持されるので、軸ずれした状態で弁部材２１が通路１２の開口１２ａ端縁に当接しても、スライダ４２がベース４１に対してスライド移動することにより、弁部材２１の軸と通路１２の開口の軸とが合う方向に弁部材２１が移動し、開口端縁の全周に弁部材２１が当接して通路１２が閉塞される。これにより、軸ずれが生じても、クリアランスｔの範囲で弁部材２１が移動し、この軸ずれを吸収するので、弁部材２１で通路１２を確実に閉塞することができる。
また、伸縮部材２２の一端の雄ネジ３３を雌ネジ７に螺着して本体１に対して固定するとともに、支持機構４０を設けてこの支持機構４０で弁部材２１を移動可能にしたので、弁機構２０の支持強度が確保され、しかも、弁部材２１の軸と通路１２の部屋１１側開口１２ａの軸との軸ずれに対応できる。即ち、伸縮部材２２の本体２１に対する支持部分（雄ネジ３３）に負荷がかかりにくくなり、弁機構２０の支持部分（雄ネジ３３）を破損しにくくすることができる。
【００２９】
また、この際、支持機構４０においては、スライダ４２はベース４１のスライド面４４に対して移動するので、弁部材２１を安定して移動させることができる。
更に、弁部材２１は、過度に移動しようとすると、凸部５１の外周が凹部５２の内周に当接してその移動が規制される。そのため、過度の弁部材２１の移動が防止される。また、規制機構５０においては、弁部材２１の移動範囲を、クリアランスｔの範囲に設定しているので、簡単な構造で、弁部材２１の移動の規制を確実に行なうことができる。
【００３０】
尚、本発明のトラップ装置においては、規制機構５０を、凸部５１及び凹部５２で構成したがこれに限定されるものでなく、フランジ４３と筒状体４８であってもよい。この場合には、弁部材２１の移動範囲は、フランジ４３と筒状体４８とのクリアランスの範囲に設定される。
尚また、弁部材２１を球体に形成したがこれに限定されるものでなく、例えば、伸縮部材２２の伸縮方向伸長側に向けて径が小さくなる円錐形状であってもよく、適宜設計変更して差支えない。
【図面の簡単な説明】
【００３１】
【図１】本発明の実施の形態に係るトラップ装置を示す断面図である。
【図２】本発明の実施の形態に係るトラップ装置の弁機構を示す斜視図である。
【図３】本発明の実施の形態に係るトラップ装置の弁機構を示し、（ａ）伸縮部材の伸長時の断面，（ｂ）伸縮部材の収縮時の断面をそれぞれ示す図である。
【図４】本発明の実施の形態に係るトラップ装置の弁機構を示す断面図である。
【図５】本発明の実施の形態に係るトラップ装置の弁機構を示す分解斜視図である。
【図６】本発明の実施の形態に係るトラップ装置を、伸縮部材の伸長状態で示す断面図である。
【図７】従来のトラップ装置の一例を示す図である。
【図８】従来のトラップ装置の弁機構を示す図である。
【符号の説明】
【００３２】
１  本体
２  入口
３  出口
４  弁箱
５  蓋体
６  フランジ
７  雌ネジ
１０  中子部材
１１  部屋
１２  通路
１２ａ  部屋側開口
１２ｂ  出口側開口
１３  中子蓋体
１４  中子本体
１４ａ  底壁
１４ｂ  側壁
１５  連通路
１６  ブッシュ
１７  軸部
１７ａ  ピン
１７ｂ  パッキン
２０  弁機構
２１  弁部材
２２  伸縮部材
３０  ベローズ本体
３１  一端側金具
３２  他端側金具
３３  雄ネジ
３４  孔
３５  穴
３６  スプリングピン
４０  支持機構
４１  ベース
４２  スライダ
４３  フランジ
４４  スライド面
４５  保持孔
４６  筒体
４７  保持部
４８  筒状体
４８ａ  溝
４９  Ｃリング
４９ａ  Ｃリングの両端の孔
５０  規制機構
５１  凸部
５２  凹部
ｔ  クリアランス
【図１】
2007333171.tif 000003
【図２】
2007333171.tif 000004
【図３】
2007333171.tif 000005
【図４】
2007333171.tif 000006
【図５】
2007333171.tif 000007
【図６】
2007333171.tif 000008
【図７】
2007333171.tif 000009
【図８】
2007333171.tif 000010